(57)【要約】【課題】電気光学装置において、画素電極及びデータ線間等に生じる容量カップリングの影響を排除して、表示ムラ等のない高品位な画像の表示を行う。【解決手段】基板上に、データ線（６ａ）及びこれに交差する走査線（３ａ）、並びに、データ線及び走査線の交差領域に対応するように配置された画素電極（９ａ）及びＴＦＴ（３０）が積層構造の一部をなして備えられた電気光学装置であって、前記基板上には更に、ＴＦＴ及び画素電極に電気的に接続された蓄積容量（７０）と、データ線及び画素電極間に配置され固定電位とされたシールド層（４００Ｕ）とが、前記積層構造の一部をなして備えられている。また、シールド層に接続された容量電極（４００Ｄ）の少なくとも一部は、前記蓄積容量を構成する一対の電極の一方を含む。【選択図】図３
2008276256.tif 000002
【特許請求の範囲】
【請求項１】
基板上に、第１方向に延在するデータ線及び該データ線に交差する第２方向に延在する走査線、並びに、前記データ線及び前記走査線の交差領域に対応するように配置された画素電極及び薄膜トランジスタが積層構造の一部をなして備えられた電気光学装置であって、
前記基板上には更に、
前記薄膜トランジスタ及び前記画素電極に電気的に接続された蓄積容量と、
前記データ線及び前記画素電極間に配置され固定電位とされたシールド層とが、
前記積層構造の一部をなして備えられてなり、
前記シールド層又はこれに接続若しくは延設された導電層の少なくとも一部は、前記蓄積容量を構成する一対の電極の一方を含むことを特徴とする電気光学装置。
【請求項２】
前記蓄積容量を構成する一対の電極の他方は、前記データ線と同一層として形成された独立的導電層に含まれることを特徴とする請求項１に記載の電気光学装置。
【請求項３】
前記基板上には、前記シールド層及び前記独立的導電層を一対の電極とする蓄積容量のほか、他の蓄積容量が、前記積層構造の一部として更に備えられていることを特徴とする請求項２に記載の電気光学装置。
【請求項４】
前記導電層は、前記シールド層とは別の層に形成されており、
該導電層が、前記蓄積容量を構成する一対の電極の一方を含み、
前記蓄積容量を構成する一対の電極の他方は、前記導電層に対向するように形成された他の導電層に含まれることを特徴とする請求項１に記載の電気光学装置。
【請求項５】
前記導電層は、前記データ線と同一層として形成されていることを特徴とする請求項４に記載の電気光学装置。
【請求項６】
前記蓄積容量を構成する一対の電極の他方と前記画素電極とを電気的に接続するための中継層が前記積層構造の一部として更に備えられていることを特徴とする請求項４又は５に記載の電気光学装置。
【請求項７】
前記シールド層は、前記中継層と同一膜として形成されていることを特徴とする請求項６に記載の電気光学装置。
【請求項８】
前記シールド層は、アルミニウムからなる膜を含むことを特徴とする請求項１乃至７のいずれか一項に記載の電気光学装置。
【請求項９】
前記シールド層は、アルミニウムからなる膜及び高融点金属を含む膜の積層体を構成することを特徴とする請求項１乃至８のいずれか一項に記載の電気光学装置。
【請求項１０】
前記データ線は、アルミニウムからなる膜を含むことを特徴とする請求項１乃至９のいずれか一項に記載の電気光学装置。
【請求項１１】
前記データ線は、導電性ポリシリコン膜及び高融点金属を含む膜の少なくとも一方を更に含み、前記アルミニウムからなる膜とともに積層体を構成することを特徴とする請求項１０に記載の電気光学装置。
【請求項１２】
前記高融点金属を含む膜は、前記走査線及び及び前記データ線並びに前記画素電極及び前記薄膜トランジスタの形成領域として規定される画像表示領域の周囲の周辺領域上にもまた形成されていることを特徴とする請求項９又は１１に記載の電気光学装置。
【請求項１３】
前記走査線及び前記データ線並びに前記画素電極及び前記薄膜トランジスタの形成領域として規定される画像表示領域の周囲の周辺領域に、前記走査線及び前記データ線それぞれを駆動するための走査線駆動回路及びデータ線駆動回路を更に備えてなり、
前記走査線駆動回路及び前記データ線駆動回路は第２の薄膜トランジスタを含み、
前記第２の薄膜トランジスタを構成するソース電極及びドレイン電極の少なくとも一つは、前記シールド層と同一膜として形成されていることを特徴とする請求項１乃至１２のいずれか一項に記載の電気光学装置。
【請求項１４】
前記シールド層は、前記データ線に沿うように、かつ、該データ線よりも幅広に形成されていることを特徴とする請求項１乃至１３のいずれか一項に記載の電気光学装置。
【請求項１５】
前記シールド層は、前記データ線及び前記走査線の形成領域に対応するように、格子状に形成されていることを特徴とする請求項１乃至１４のいずれか一項に記載の電気光学装置。
【請求項１６】
請求項１乃至１４のいずれか一項に記載の電気光学装置を具備してなることを特徴とする電子機器。
【発明の詳細な説明】
【技術分野】
【０００１】
本発明は、電気光学装置及び電子機器の技術分野に属し、特に、データ線を通じて画像信号を供給することで画像表示が可能な電気光学装置及びそのような電気光学装置を具備してなる電子機器の技術分野に属する。
【背景技術】
【０００２】
従来、マトリクス状に配列された画素電極及び該電極の各々に接続された薄膜トランジスタ（Thin Film Transistor；以下適宜、「ＴＦＴ」という。）、該ＴＦＴの各々に接続され、行及び列方向にそれぞれ平行に設けられた走査線及びデータ線等を備えることによって、いわゆるアクティブマトリクス駆動が可能な電気光学装置が知られている。
【０００３】
ここで、アクティブマトリクス駆動とは、前記走査線に対して走査信号を供給することで前記ＴＦＴのオン・オフを制御するとともに、前記データ線に対して画像信号を供給することで、前記走査信号によってＯＮとされたＴＦＴに対応する画素電極に対し、当該画像信号に対応した電界の印加を行う駆動方法である。
この画像信号の供給方法には、種々のものが提案されており、例えば、データ線の１本１本に逐次画像信号を供給する方法や、画像信号をシリアル−パラレル変換して隣接するデータ線の何本かに対して、グループ毎同時に画像信号を供給する方法もある。
【発明の開示】
【発明が解決しようとする課題】
【０００４】
しかしながら、従来におけるデータ線を通じた画像信号の供給については、次のような問題点があった。すなわち、上で例示した画像信号の供給方法のうち、グループ毎に同時に画像信号の供給を行う方法を例として説明すると、この場合、画像信号の供給を現に受けているグループ（以下、「供給グループ」という。）と、それに隣接するグループ（以下、「非供給グループ」という。）との間において、当該位置に延在するデータ線にほぼ沿った形で、画像上に表示ムラが現れるという不具合があったのである。
【０００５】
これは、前記供給グループと前記非供給グループとのちょうど端境に存在する画素電極において、画像信号に正確に対応した電界が結果的に印加されないことによる。より詳しくは、この場合、当該画素電極の一方の端には、画像信号が供給されるデータ線が存在し、他方の端には画像信号が供給されないデータ線が存在するということになるから、当該画素電極に対して、画像信号に対応した正確な電界を印加したとしても、当該画素電極と前記画像信号が供給されないデータ線との間における容量カップリングの影響で、その電位に変動が生じるのである。ちなみに、供給グループ内にあって、前記端境に位置しない画素電極における電位については、そのような不都合は生じないことになる。
【０００６】
このような問題に対処するため、画素電極とデータ線との間に位置する層間絶縁膜の厚さを大きくするという試みが考えられる。これによれば、画素電極及びデータ線間で生じる寄生容量を小さくすることが可能となるからである。しかしながら、層間絶縁膜の厚さを大きくすると、例えば、画素電極及びＴＦＴ間を接続するコンタクトホールの形成が困難となる。また、厚さを大きくして容量カップリングの影響をなくすためには、そもそも当該厚さを一般に非常に大きくしなければならない。これでは、電気光学装置一般について、小型化・高精細化が望まれている現状に対して逆行することとなる。
【０００７】
本発明は、上記問題点に鑑みてなされたものであり、画素電極及びデータ線間等に生じる容量カップリングの影響を排除して、表示ムラ等のない高品位な画像の表示が可能となる電気光学装置及び電子機器を提供することを課題とする。
【課題を解決するための手段】
【０００８】
本発明の電気光学装置は、上記課題を解決するため、基板上に、第１方向に延在するデータ線及び該データ線に交差する第２方向に延在する走査線、並びに、前記データ線及び前記走査線の交差領域に対応するように配置された画素電極及び薄膜トランジスタが積層構造の一部をなして備えられた電気光学装置であって、前記基板上には更に、前記薄膜トランジスタ及び前記画素電極に電気的に接続された蓄積容量と、前記データ線及び前記画素電極間に配置され固定電位とされたシールド層とが、前記積層構造の一部をなして備えられてなり、前記シールド層又はこれに接続若しくは延設された導電層の少なくとも一部は、前記蓄積容量を構成する一対の電極の一方を含む。
【０００９】
本発明の電気光学装置によれば、まず、走査線及びデータ線並びに画素電極及び薄膜トランジスタが備えられていることにより、アクティブマトリクス駆動可能である。また、当該電気光学装置では、前記の各種構成要素が積層構造の一部をなしていることにより、装置全体の小型化等を達成することができ、また、各種構成要素の適当な配置を実現することにより、画素開口率の向上を図ることもできる。
【００１０】
そして、本態様では特に、上述の各種構成要素のほか、積層構造を構成するものとして、蓄積容量及びシールド層が備えられている。
【００１１】
第一に、蓄積容量が備えられていることにより、画素電極における電位保持特性を向上させることができる。これにより、高コントラストの画像を表示することが可能となる。第二に、シールド層が、データ線及び画素電極間に備えられているとともに固定電位とされていることにより、両者間で容量カップリングが生じることを未然に防止することが可能となる。すなわち、データ線の通電によって、画素電極における電位変動等が生じる可能性を低減することが可能となり、より高品質な画像を表示することが可能となる。なお、このシールド層を固定電位とするためには、例えば、前記画素電極、走査線及びデータ線等が備えられた画像表示領域外に、該シールド層を延設し、又は、該シールド層に電気的に接続若しくは延設された導電材を延設するとともに、当該延設部分に対して固定電位電源を接続するなどという態様を採ればよい。
【００１２】
また、本発明では特に、シールド層又はこれに接続若しくは延設された導電層の少なくとも一部が、蓄積容量を構成する一対の電極の一方（以下、簡単のため「一方電極」ということがある。）を含む。これによれば、シールド層又は導電層の一部が蓄積容量の一部を構成する（逆も然りである。）というように、両構成要素の各一部分が相互に利用し合う関係にあるから、シールド層はシールド層、蓄積容量は蓄積容量というように別々に形成する場合に比べて、構造の簡易化・簡略化を実現することができる。また、同じ理由により、本発明においては、積層構造中におけるシールド層及び蓄積容量の配置を、よりコンパクトに、あるいはより好適に実現することができる。
【００１３】
本発明の電気光学装置の一態様では、前記蓄積容量を構成する一対の電極の他方は、前記データ線と同一層として形成された独立的導電層に含まれる。
【００１４】
この態様によれば、蓄積容量を構成する一対の電極の他方（以下、簡単のため「他方電極」ということがある。）が、独立的導電層の少なくとも一部として、データ線と同一層、より好ましくは同一膜として（すなわち、製造工程段階において他方電極とデータ線とが同時に）形成されているから、積層構造の多層化防止、製造工程の簡略化、製造コストの低廉化等を図ることができる。
【００１５】
そして、本態様では特に、蓄積容量は、シールド層と、前記のデータ線と同一層として形成されている独立的導電層とが、その一対の電極に該当することにより構成されることになる。すなわち、データ線とシールド層との電気的絶縁を図る層間絶縁膜と、蓄積容量を構成する誘電体膜とは同じになる。また、これと同時に、シールド層は、前述のようにデータ線及び画素電極間の寄生容量の影響排除という役割を担うとともに、蓄積容量の一方電極の役割を担うことになる。このように、該層間絶縁膜、あるいは該シールド層は、本態様において両義的な存在になるから、これによっても、積層構造の簡易化、あるいは製造工程の簡略化等の作用効果が導かれる。
【００１６】
なお、本態様にいう「独立的導電層」、とりわけ「独立的」というのは、該独立的導電層がデータ線と同一層として形成されるため、該データ線との間において同一平面内で電気的絶縁が図られている必要があることを意味し、より具体的には、該独立的導電層と該データ線とは、例えば、パターニング上、相互に分断されていなければならないという意味合いを含ませる目的で使用されている。
【００１７】
本発明の電気光学装置の他の態様では、前記基板上には、前記シールド層及び前記独立的導電層を一対の電極とする蓄積容量のほか、他の蓄積容量が、前記積層構造の一部として更に備えられている。
【００１８】
この態様によれば、前述のシールド層及び独立的導電層を一対の電極とする蓄積容量のほか、他の蓄積容量が、積層構造の一部として備えられていることにより、当該電気光学装置全体としての蓄積容量の容量値の増大化を図ることができる。
【００１９】
この点特に、シールド層及び独立的導電層を一対の電極として蓄積容量を構成する場合においては、上述のように、該独立的導電層と同一層としてデータ線が形成されていることにより、該蓄積容量の誘電体膜（ないし層間絶縁膜）の薄膜化によりその容量値の増大を図るにあたっては、少なくとも前記データ線の「高さ」を考慮した上で行う必要があり、それには相応の限界があることに鑑みると、本構成に係る「他の蓄積容量」の存在は、画素電極の電位保持特性を良好に維持することにとって大きな貢献をなし得る。
【００２０】
本発明の電気光学装置の他の態様では、前記導電層は、前記シールド層とは別の層に形成されており、該導電層が、前記蓄積容量を構成する一対の電極の一方を含み、前記蓄積容量を構成する一対の電極の他方は、前記導電層に対向するように形成された他の導電層に含まれる。
【００２１】
この態様によれば、導電層が一方電極を含むから、積層構造の多層化防止、製造工程の簡略化、製造コストの低廉化等を図りうる。なお、この場合、基本的には、シールド層は一方電極を含まないことになるから、該シールド層は、画素電極及びデータ線間の寄生容量の影響を排除することのみを主な任務とすることになる（ただし、導電層が一方電極を含み、シールド層もまた一方電極を含むような構成も考えられ得る。）。
【００２２】
そして、本態様では特に、蓄積容量は、導電層と、該導電層に対向するように形成された他の導電層とが、その一対の電極に該当することにより構成されることになる。ここで「導電層」は、前述のように、固定電位とされたシールド層に接続又は延設されていることにより、やはり固定電位とされていることになる。
すなわち、該導電層が含む一方電極とは、いわゆる固定電位側容量電極に該当し、他方電極とは、いわゆる画素電位側容量電極（すなわち、蓄積容量の一対の電極のうち、画素電極及び薄膜トランジスタに接続されることになる電極）に該当することになる。
【００２３】
このように、導電層、他の導電層を一対の電極とする場合においては、上述のようにシールド層及び独立的導電層を一対の電極とする場合に比較して、当該蓄積容量の誘電体膜をより薄くすることが可能となる。というのも、後者の構成では、独立的導電層がデータ線と同一層として形成されているため、該データ線の厚さを考慮した上で、当該蓄積容量の誘電体膜の厚さを決めなければならないところ、本態様に係る導電層及び他の導電層からなる蓄積容量においては、そのようなデータ線等は存在しないから、可能な限り、その誘電体膜を薄くすることが可能となるからである。
【００２４】
ただし、本態様においては、その分だけ積層構造が多層化されることになるのはいうまでもない。この点に関していえば、上述の独立的導電層を含む蓄積容量では、層間絶縁膜が共用されていたため（すなわち、シールド層及びデータ線間の絶縁を図るための絶縁膜と、蓄積容量を構成する誘電体膜とは同じであったため）、多層化を防止するという観点からすれば、当該蓄積容量の方が優位であるとも言える。
【００２５】
要するに、本態様に係る他の導電層を含む蓄積容量と、前述の独立的導電層を含む蓄積容量とを比較した場合に、どちらが優位であるとは一概には決し得ない。本発明においては、上述のような事情等を勘案した上でどちらの構成を採用するようにしてもよい。
【００２６】
この導電層及び他の導電層により蓄積容量を構成する態様では、前記導電層は、前記データ線と同一層として形成されているように構成するとよい。
【００２７】
このような構成によれば、積層構造の更なる簡略化等が図られる。すなわち、蓄積容量を全く別個の構成要素として形成する場合においては、例えば、下から順に、蓄積容量（下部電極、誘電体膜及び上部電極）、層間絶縁膜、データ線、層間絶縁膜及びシールド層などという積層構造が典型的に考えられることから比べると、本態様においては、蓄積容量（このうちの上部電極は導電層に含まれ、該導電層と同一層にデータ線が存在する。）、層間絶縁膜及びシールド層という簡易な構造を実現することができる。
【００２８】
なお、本構成に係る記載から逆に明らかとなるように、本発明において、データ線と導電層とは必ずしも同一層に形成されている必要はない。
【００２９】
また、この導電層及び他の導電層により蓄積容量を構成する態様では、前記蓄積容量を構成する一対の電極の他方と前記画素電極とを電気的に接続するための中継層が前記積層構造の一部として更に備えられているようにするとよい。
【００３０】
このような構成によれば、前記積層構造の一部をそれぞれ構成する、画素電極と蓄積容量の他方電極とは、同じく積層構造の一部を構成する中継層によって電気的に接続されることになる。具体的には、画素電極及び中継層間、並びに、中継層及び他方電極間にコンタクトホールを形成する等の手段によればよい。これにより、例えば、本態様に係る中継層を二層構造とするとともに、その上層は画素電極の材料として通常使用される透明導電性材料の一例たるＩＴＯ（Indium Tin Oxide）と相性のよい材料で構成し、その下層は蓄積容量を構成する一対の電極の一方と相性のよい材料で構成する等の柔軟な構成を採ることが可能となり、画素電極に対する電圧の印加、あるいは該画素電極おける電位の保持をより好適に実現することができる。
【００３１】
この中継層が備えられる態様では、前記シールド層は、前記中継層と同一膜として形成されているようにするとよい。
【００３２】
このような構成によれば、中継層と前記シールド層とが同一膜として形成されていることにより、両構成を同時に形成することが可能となり、その分の製造工程の簡略化、あるいは製造コストの低廉化等を図ることができる。
【００３３】
なお、本態様の記載から逆に明らかとなるように、本発明においては、シールド層と中継層とを同一膜として形成する必要は必ずしもない。すなわち、両者を別々の層として形成してよい。
【００３４】
本発明の電気光学装置の他の態様では、前記シールド層は、アルミニウムからなる膜を含む。
【００３５】
この態様によれば、シールド層がアルミニウムからなる膜を含むから、その低抵抗化を実現することができる。これにより、例えば、シールド層が高抵抗である場合に懸念される、クロストークや焼き付き等を発生させるおそれがなくなり、より高品質の画像を表示することが可能となる。
【００３６】
本発明の電気光学装置の他の態様では、前記シールド層は、アルミニウムからなる膜及び高融点金属を含む膜の積層体を構成する。
【００３７】
この態様によれば、シールド層が、アルミニウムからなる膜を含むから、その低抵抗化を実現することができる。また、本態様ではそれに加えて、該シールド層が、高融点金属を含む膜、例えば水分をせき止める作用に比較的優れた窒化物からなる膜を含むから、薄膜トランジスタの半導体層に対する水分浸入防止作用が発揮される。この点、もし半導体層、あるいはゲート絶縁膜等に水分が浸入すると、半導体層及びゲート絶縁膜間の界面に正電荷が発生し、スレッショルド電圧を次第に高めていくという悪影響がでる。本態様では、上述のように、半導体層に対する水分浸入を効果的に防止することが可能であるから、該薄膜トランジスタのスレッショルド電圧が上昇するという不具合の発生を極力防止することが可能となり、もってその長期的且つ安定的な運用を期することができる。
【００３８】
さらに、シールド層がアルミニウムからなる膜及び高融点金属を含む膜を含む場合においては、前者において比較的高い光反射性能を享受しえ、後者において比較的高い光吸収性能を享受することが可能となる。すなわち、本態様によれば、薄膜トランジスタの半導体層に対する光入射を、相応に防止することが可能となるのである。この点、もし半導体層、とりわけそのチャネル領域に光が入射されると、光リーク電流が発生し、画像上にフリッカ等が現れるなどの悪影響が出る。本態様では、上述のように、半導体層に対する光入射を効果的に防止することが可能であるから、該薄膜トランジスタの正確な動作を実現することができ、もってより高品質な画像を表示することができる。
【００３９】
さらに加えて、本態様に係るシールド層が、前述のように中継層と同一膜として形成されている場合（換言すれば、本態様と前述の当該態様とを併せもつ構成）では特に、該シールド層が高融点金属を含む膜を含むことにより、次のような作用効果を得ることができる。すなわち、中継層は、通常、ＩＴＯ（Indium Tin Oxide）、ＩＺＯ（Indium Zinc Oxide）等の透明導電性材料からなる画素電極と電気的に接続されることになるが、このＩＴＯ等の電気的接続の直接の相手方が、例えばアルミニウム等である場合には、いわゆる電食が生じてしまうことがある。ここに電食とは、ＩＴＯと該アルミニウム等が直接に接触することにより、後者において断線（侵食）を生じさせたり、該アルミニウム内にアルミナ等が形成されることにより、絶縁を生じさせたりする現象である。このような電食が生じると、中継層及び画素電極間の電気的な導通は困難な状況になり、該画素電極に画像信号に対応した正確な電圧を印加することが困難になる。
【００４０】
しかるに、上述のような構成では、中継層が、高融点金属を含む膜を含むシールド層と同一膜として形成されていることから、該中継層と画素電極とが直接的に接触する部分については、例えば、高融点金属を含む膜の一例たる窒化物からなる膜をあてることが可能となる。この場合、両者間に、上述のような電食を殆ど生じさせることがないから、中継層及び画素電極間の電気的な導通を、好適に維持することが可能となるのである。
【００４１】
以上により、この構成では特に、上述のような各種作用効果の他、中継層及び画素電極間、ひいては薄膜トランジスタ及び画素電極間の電気的接続を良好に維持することが可能となることにより、より高品質な画像を表示することができる。
【００４２】
更にいえば、この構成では、高融点金属を含む膜の一例たる窒化物からなる膜等は、シールド層及び中継層双方の形成領域に対応するように形成されていることになるから、前述したような薄膜トランジスタの半導体層に対する水分浸入作用を、基板の面についてより広範に得ることが可能となる。したがって、薄膜トランジスタの長期運用という作用効果を、より効果的に享受することが可能となる。
【００４３】
なお、本態様にいう「高融点金属を含む膜」として好適なものとしては、例えば、窒化チタン（ＴｉＮ）や、窒化シリコン（ＳｉＮ）あるいは酸窒化シリコン（ＳｉＯＮ）等からなる膜を挙げることができる。
【００４４】
また、本態様にいう「積層体」とは、例えば、アルミニウム膜、窒化物膜という単純な二層構造を含むのは勿論、窒化物膜、アルミニウム膜及び窒化物膜という三層構造、あるいはその他種々の構成を含む概念であることは言うまでもない。
【００４５】
本発明の電気光学装置の他の態様では、前記データ線は、アルミニウムからなる膜を含む。
【００４６】
この態様によれば、データ線が、アルミニウムからなる膜を含むから、その低抵抗化を実現することができる。
【００４７】
この態様では、前記データ線は、導電性ポリシリコン膜及び高融点金属を含む膜の少なくとも一方を更に含み、前記アルミニウムからなる膜とともに積層体を構成するようにするとよい。
【００４８】
このような構成によれば、まず、データ線が導電性ポリシリコン膜を含めば、該導電性ポリシリコン膜を積層体中の適当な位置に配置することで、当該データ線と薄膜トランジスタの半導体層との電気的接続を好適に実現することができる。
【００４９】
また、該データ線が高融点金属を含む膜、例えば窒化物からなる膜を含めば、薄膜トランジスタの半導体層に対する水分浸入防止作用が発揮される。この点、もし半導体層、あるいはゲート絶縁膜等に水分が浸入すると、半導体層及びゲート絶縁膜間の界面に正電荷が発生し、スレッショルド電圧を次第に高めていくという悪影響がでる。本態様では、上述のように、半導体層に対する水分浸入を効果的に防止することが可能であるから、該薄膜トランジスタのスレッショルド電圧が上昇するという不具合の発生を極力防止することが可能となる。
【００５０】
なお、本態様にいう「高融点金属を含む膜」として好適なものとしては、例えば、窒化チタン（ＴｉＮ）や、窒化シリコン（ＳｉＮ）あるいは酸窒化シリコン（ＳｉＯＮ）等からなる膜を挙げることができる。
【００５１】
また、本態様にいう「積層体」とは、例えば、アルミニウム膜、窒化物膜という単純な二層構造を含むのは勿論、窒化物膜、アルミニウム膜及び窒化物膜という三層構造、あるいはその他種々の構成を含む概念であることは言うまでもない。
【００５２】
このように、データ線、あるいはシールド層が高融点金属を含む膜を含む態様では特に、前記高融点金属を含む膜は、前記走査線及び及び前記データ線並びに前記画素電極及び前記薄膜トランジスタの形成領域として規定される画像表示領域の周囲の周辺領域上にもまた形成されているようにするとよい。
【００５３】
このような構成によれば、画像表示領域の周囲の周辺領域上にもまた、高融点金属を含む膜、例えば窒化チタン膜が形成されている。この場合、当該周辺領域には、前記走査線を駆動するための走査線駆動回路、前記データ線を駆動するためのデータ線駆動回路等が設けられることが通常考えられ、加えて例えば、これら走査線駆動回路及びデータ線駆動回路が、前記基板上に作りこまれて内蔵回路を構成し、かつ、これらが例えばＣＭＯＳ型の薄膜トランジスタを含む場合を考えると、当該薄膜トランジスタに対して、水分の浸入を生じさせない作用効果を期待することができる。すなわち、本構成によれば、画像表示領域を規定する薄膜トランジスタに加えて、周辺領域に形成される薄膜トランジスタについてもまた、正確動作、長期運用等を行うことができ、電気光学装置全体としての長期運用等を実現することができる。
【００５４】
本発明の電気光学装置の他の態様では、前記走査線及び前記データ線並びに前記画素電極及び前記薄膜トランジスタの形成領域として規定される画像表示領域の周囲の周辺領域に、前記走査線及び前記データ線それぞれを駆動するための走査線駆動回路及びデータ線駆動回路を更に備えてなり、前記走査線駆動回路及び前記データ線駆動回路は第２の薄膜トランジスタを含み、前記第２の薄膜トランジスタを構成するソース電極及びドレイン電極の少なくとも一つは、前記シールド層と同一膜として形成されている。
【００５５】
この態様によれば、走査線駆動回路及びデータ線駆動回路を構成する第２の薄膜トランジスタを構成するソース電極及びドレイン電極の少なくとも一つと、シールド層との形成を同一膜として、すなわち両者を同時に形成することが可能となるから、その分の製造工程の簡略化、製造コストの低廉化等を図ることができる。
【００５６】
また、本態様と、前述のようにシールド層がアルミニウムからなる膜を含む態様とを併せもつ構成では特に、前述のソース電極及びドレイン電極の少なくとも一つもまた、アルミニウムからなる膜を含むことになるから、その低抵抗化を実現することができる。
【００５７】
さらには、本態様と、前述のように「データ線」が導電性ポリシリコン膜を含む態様とを併せもつ構成では特に、次のような作用効果を得ることも可能となる。すなわち、通常、画像表示領域を規定する前記薄膜トランジスタは、高速スイッチング特性等の特徴をもつＮｃｈ型として形成されることが多い。したがって、この場合、前記導電性ポリシリコン膜はＮ型とされることになる。他方、走査線駆動回路及びデータ線駆動回路を構成する前記第２の薄膜トランジスタは、省電力特性等の特徴を持つＣＭＯＳ型として形成されることが多い。ここにＣＭＯＳ型の薄膜トランジスタとは、よく知られているように、Ｎｃｈ型薄膜トランジスタとＰｃｈ型薄膜トランジスタの双方を併せもつ構成を備えたものである。ここでもし、前記のソース電極及びドレイン電極の少なくとも一つとデータ線とを同時に形成するような態様を採用すると、第２の薄膜トランジスタのうち、Ｐｃｈ型の薄膜トランジスタと、前述のＮ型の導電性ポリシリコンとが直接的に接触してしまうような場合が考えられることになる。これでは、当該接触箇所において、ＰＮ接合が形成されることにより、両者間の良好な電気的導通を図ることができない。しかるに、本態様によれば、第２の薄膜トランジスタのソース電極及びドレイン電極の少なくとも一つは、「シールド層」と同時に形成されることになるから、上述のような不具合が発生しないのである。
【００５８】
本発明の電気光学装置の他の態様では、前記シールド層は、前記データ線に沿うように、かつ、該データ線よりも幅広に形成されている。
【００５９】
この態様によれば、データ線に沿うように、かつ、該データ線よりも幅広に形成されることから、該データ線と画素電極とが直接的に対向するような箇所を極力なくすことが可能となり、該シールド層によるシールド効果を、より一層効果的に享受することが可能となる。
【００６０】
本発明の電気光学装置の他の態様では、前記シールド層は、前記データ線及び前記走査線の形成領域に対応するように、格子状に形成されている。
【００６１】
この態様によれば、シールド層は、データ線及び走査線の形成領域に対応するように、格子状に形成されていることから、該シールド層によるシールド効果を、より一層効果的に享受することが可能となる。
【００６２】
また、シールド層が格子状に形成されている態様と、前述した、該シールド層が蓄積容量の一方電極を含み、且つ、独立的導電層が他方電極を含む態様とを併せもつ構成では特に、該独立的導電層に対向すべき一方電極の面積が増大することになるから、蓄積容量の容量値増大が見込めることになり、画素電極の電位保持特性をより向上させることが可能となる。
【００６３】
さらに、このシールド層が格子状に形成されている態様と、前述した該シールド層が高融点金属を含む膜を含む態様とを併せもつ構成では特に、該高融点金属を含む膜の、基板上に閉める面積が相対的に増大することから、薄膜トランジスタの耐湿性、すなわち該薄膜トランジスタの半導体層に対する水分浸入防止作用をより効果的に享受することが可能となる。
【００６４】
本発明の電子機器は、上記課題を解決するために、上述の本発明の電気光学装置（ただし、その各種態様を含む。）を具備してなる。
【００６５】
本発明の電子機器によれば、上述の本発明の電気光学装置を具備してなるから、シールド層に存在により、データ線及び画素電極間の寄生容量の影響を排除して、表示ムラ等のない高品質な画像を表示することの可能な、投射型表示装置、液晶テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。
【００６６】
本発明のこのような作用及び他の利得は次に説明する実施の形態から明らかにされる。
【発明を実施するための最良の形態】
【００６７】
（第１実施形態）
以下では、本発明の第１の実施の形態について図を参照しつつ説明する。以下の第１実施形態は、本発明の電気光学装置を液晶装置に適用したものである。
【００６８】
（画素部における構成）
まず、本発明の第１実施形態における電気光学装置の画素部における構成について、図１から図３を参照して説明する。ここに図１は、電気光学装置の画像表示領域を構成するマトリクス状に形成された複数の画素における各種素子、配線等の等価回路である。図２は、データ線、走査線、画素電極等が形成されたＴＦＴアレイ基板の相隣接する複数の画素群の平面図である。図３は、図２のＡ−Ａ’断面図である。なお、図３においては、各層・各部材を図面上で認識可能な程度の大きさとするため、該各層・各部材ごとに縮尺を異ならしめてある。
【００６９】
図１において、第１実施形態における電気光学装置の画像表示領域を構成するマトリクス状に形成された複数の画素には、それぞれ、画素電極９ａと当該画素電極９ａをスイッチング制御するためのＴＦＴ３０とが形成されており、画像信号が供給されるデータ線６ａが当該ＴＦＴ３０のソースに電気的に接続されている。データ線６ａに書き込む画像信号Ｓ１、Ｓ２、…、Ｓｎは、この順に線順次に供給しても構わないし、相隣接する複数のデータ線６ａ同士に対して、グループ毎に供給するようにしてもよい。
【００７０】
また、ＴＦＴ３０のゲートに走査線３ａが電気的に接続されており、所定のタイミングで、走査線３ａにパルス的に走査信号Ｇ１、Ｇ２、…、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、…、Ｓｎを所定のタイミングで書き込む。
【００７１】
画素電極９ａを介して電気光学物質の一例としての液晶に書き込まれた所定レベルの画像信号Ｓ１、Ｓ２、…、Ｓｎは、対向基板に形成された対向電極との間で一定期間保持される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として電気光学装置からは画像信号に応じたコントラストをもつ光が出射する。
【００７２】
ここで保持された画像信号がリークするのを防ぐために、画素電極９ａと対向電極との間に形成される液晶容量と並列に蓄積容量７０を付加する。この蓄積容量７０は、走査線３ａに並んで設けられ、固定電位側容量電極を含むとともに定電位に固定された容量電極４００Ｄを含んでいる。
【００７３】
以下では、上記データ線６ａ、走査線３ａ、ＴＦＴ３０等による、上述のような回路動作が実現される電気光学装置の、実際の構成について、図２から図３を参照して説明する。
【００７４】
まず、図２において、画素電極９ａは、ＴＦＴアレイ基板１０上に、マトリクス状に複数設けられており（点線部９ａ’により輪郭が示されている）、画素電極９ａの縦横の境界に各々沿ってデータ線６ａ及び走査線３ａが設けられている。データ線６ａは、後述するようにアルミニウム膜等を含む積層構造からなり、走査線３ａは、例えば導電性のポリシリコン膜等からなる。また、走査線３ａは、半導体層１ａのうち図中右上がりの斜線領域で示したチャネル領域１ａ’に対向するように配置されており、該走査線３ａはゲート電極として機能する。すなわち、走査線３ａとデータ線６ａとの交差する箇所にはそれぞれ、チャネル領域１ａ’に走査線３ａの本線部がゲート電極として対向配置された画素スイッチング用のＴＦＴ３０が設けられている。
【００７５】
次に、電気光学装置は、図２のＡ−Ａ’線断面図たる図３に示すように、例えば、石英基板、ガラス基板、シリコン基板からなるＴＦＴアレイ基板１０と、これに対向配置される、例えばガラス基板や石英基板からなる対向基板２０とを備えている。
【００７６】
ＴＦＴアレイ基板１０の側には、図３に示すように、前記の画素電極９ａが設けられており、その上側には、ラビング処理等の所定の配向処理が施された配向膜１６が設けられている。画素電極９ａは、例えばＩＴＯ膜等の透明導電性膜からなる。他方、対向基板２０の側には、その全面に渡って対向電極２１が設けられており、その下側には、ラビング処理等の所定の配向処理が施された配向膜２２が設けられている。このうち対向電極２１は、上述の画素電極９ａと同様に、例えばＩＴＯ膜等の透明導電性膜からなり、前記の配向膜１６及び２２は、例えば、ポリイミド膜等の透明な有機膜からなる。このように対向配置されたＴＦＴアレイ基板１０及び対向基板２０間には、後述のシール材（図１７及び図１８参照）により囲まれた空間に液晶等の電気光学物質が封入され、液晶層５０が形成される。液晶層５０は、画素電極９ａからの電界が印加されていない状態で配向膜１６及び２２により所定の配向状態をとる。液晶層５０は、例えば一種又は数種類のネマティック液晶を混合した電気光学物質からなる。シール材は、ＴＦＴ基板１０及び対向基板２０をそれらの周辺で貼り合わせるための、例えば光硬化性樹脂や熱硬化性樹脂からなる接着剤であり、両基板間の距離を所定値とするためのグラスファイバー或いはガラスビーズ等のスペーサが混入されている。
【００７７】
一方、ＴＦＴアレイ基板１０上には、前記の画素電極９ａ及び配向膜１６の他、これらを含む各種の構成が積層構造をなして備えられている。この積層構造は、図３に示すように、下から順に、下側遮光膜１１ａを含む第１層、ＴＦＴ３０及び走査線３ａ等を含む第２層、蓄積容量７０及びデータ線６ａ等を含む第３層、シールド層４００Ｕ等を含む第４層、前記の画素電極９ａ及び配向膜１６等を含む第５層（最上層）からなる。また、第１層及び第２層間には下地絶縁膜１２が、第２層及び第３層間には第１層間絶縁膜４１が、第３層及び第４層間には第２層間絶縁膜４２が、第４層及び第５層間には第３層間絶縁膜４３が、それぞれ設けられており、前述の各要素間が短絡することを防止している。また、これら各種の絶縁膜１２、４１、４２及び４３には、例えば、ＴＦＴ３０の半導体層１ａ中の高濃度ソース領域１ｄとデータ線６ａとを電気的に接続するコンタクトホール等もまた設けられている。以下では、これらの各要素について、下から順に説明を行う。
【００７８】
まず、第１層には、例えば、Ｔｉ（チタン）、Ｃｒ（クロム）、Ｗ（タングステン）、Ｔａ（タンタル）、Ｍｏ（モリブデン）等の高融点金属のうちの少なくとも一つを含む、金属単体、合金、金属シリサイド、ポリシリサイド、これらを積層したもの等からなる下側遮光膜１１ａが設けられている。この下側遮光膜１１ａは、平面的にみて格子状にパターニングされており、これにより各画素の開口領域を規定している（図２参照）。また、この下側遮光膜１１ａについては、その電位変動がＴＦＴ３０に対して悪影響を及ぼすことを避けるために、画像表示領域からその周囲に延設して定電位源に接続するとよい。
【００７９】
次に、第２層として、ＴＦＴ３０及び走査線３ａが設けられている。ＴＦＴ３０は、図３に示すように、ＬＤＤ（Lightly Doped Drain）構造を有しており、その構成要素としては、上述したようにゲート電極として機能する走査線３ａ、例えばポリシリコン膜からなり走査線３ａからの電界によりチャネルが形成される半導体層１ａのチャネル領域１ａ’、走査線３ａと半導体層１ａとを絶縁するゲート絶縁膜を含む絶縁膜２、半導体層１ａにおける低濃度ソース領域１ｂ及び低濃度ドレイン領域１ｃ並びに高濃度ソース領域１ｄ及び高濃度ドレイン領域１ｅを備えている。
【００８０】
なお、ＴＦＴ３０は、好ましくは図３に示したようにＬＤＤ構造をもつが、低濃度ソース領域１ｂ及び低濃度ドレイン領域１ｃに不純物の打ち込みを行わないオフセット構造をもってよいし、走査線３ａの一部からなるゲート電極をマスクとして高濃度で不純物を打ち込み、自己整合的に高濃度ソース領域及び高濃度ドレイン領域を形成するセルフアライン型のＴＦＴであってもよい。また、第１実施形態では、画素スイッチング用ＴＦＴ３０のゲート電極を、高濃度ソース領域１ｄ及び高濃度ドレイン領域１ｅ間に１個のみ配置したシングルゲート構造としたが、これらの間に２個以上のゲート電極を配置してもよい。このようにデュアルゲート、あるいはトリプルゲート以上でＴＦＴを構成すれば、チャネルとソース及びドレイン領域との接合部のリーク電流を防止でき、オフ時の電流を低減することができる。さらに、ＴＦＴ３０を構成する半導体層１ａは非単結晶層でも単結晶層でも構わない。単結晶層の形成には、貼り合わせ法等の公知の方法を用いることができる。半導体層１ａを単結晶層とすることで、特に周辺回路の高性能化を図ることができる。
【００８１】
以上説明した下側遮光膜１１ａの上、かつ、ＴＦＴ３０の下には、例えばシリコン酸化膜等からなる下地絶縁膜１２が設けられている。下地絶縁膜１２は、下側遮光膜１１ａからＴＦＴ３０を層間絶縁する機能のほか、ＴＦＴアレイ基板１０の全面に形成されることにより、ＴＦＴアレイ基板１０の表面研磨時における荒れや、洗浄後に残る汚れ等で画素スイッチング用のＴＦＴ３０の特性変化を防止する機能を有する。
【００８２】
さて、前述の第２層に続けて第３層には、蓄積容量７０及びデータ線６ａが設けられている。蓄積容量７０は、ＴＦＴ３０の高濃度ドレイン領域１ｅ及び画素電極９ａに接続された画素電位側容量電極としての中継層７１と、固定電位側容量電極としての容量電極４００Ｄとが、誘電体膜７５を介して対向配置されることにより形成されている。この蓄積容量７０によれば、画素電極９ａにおける電位保持特性を顕著に高めることが可能となる。また、第１実施形態に係る蓄積容量７０は、図２の平面図を見るとわかるように、画素電極９ａの形成領域にほぼ対応する光透過領域には至らないように形成されているため（換言すれば、遮光領域内に収まるように形成されているため）、電気光学装置全体の画素開口率は比較的大きく維持され、これにより、より明るい画像を表示することが可能となる。なお、この蓄積容量７０、及びこれと同層として形成されているデータ線６ａに関する構成については、後に改めて詳しく触れることとする。
【００８３】
以上説明したＴＦＴ３０ないし走査線３ａの上、かつ、蓄積容量７０ないしデータ線６ａの下には、例えば、ＮＳＧ（ノンシリケートガラス）、ＰＳＧ（リンシリケートガラス）、ＢＳＧ（ボロンシリケートガラス）、ＢＰＳＧ（ボロンリンシリケートガラス）等のシリケートガラス膜、窒化シリコン膜や酸化シリコン膜等、あるいは好ましくはＮＳＧからなる第１層間絶縁膜４１が形成されている。そして、この第１層間絶縁膜４１には、ＴＦＴ３０の高濃度ソース領域１ｄとデータ線６ａとを電気的に接続するコンタクトホール８１が開孔されている。また、第１層間絶縁膜４１には、ＴＦＴ３０の高濃度ドレイン領域１ｅと蓄積容量７０を構成する中継層７１とを電気的に接続するコンタクトホール８３が開孔されている。
【００８４】
なお、これら二つのコンタクトホールのうち、コンタクトホール８１の形成部分では、後述の誘電体膜７５が形成されないように、換言すれば、該誘電体膜７５に開口部が形成されるようになっている。これは、該コンタクトホール８１においては、中継層７１を介して、高濃度ソース領域１ｂ及びデータ線６ａ間の電気的導通を図る必要があるためである。ちなみに、このような開口部が誘電体膜７５に設けられていれば、ＴＦＴ３０の半導体層１ａに対する水素化処理を行うような場合において、該処理に用いる水素を、該開口部を通じて半導体層１ａにまで容易に到達させることが可能となるという作用効果を得ることも可能となる。
【００８５】
また、第１実施形態では、第１層間絶縁膜４１に対しては、約１０００℃の焼成を行うことにより、半導体層１ａや走査線３ａを構成するポリシリコン膜に注入したイオンの活性化を図ってもよい。
【００８６】
さて、前述の第３層に続けて第４層には、シールド層４００Ｕが形成されている。このシールド層４００Ｕは、平面的にみると、図２に示すように、図中Ｙ方向に延在するように形成されている。より具体的には、シールド層４００Ｕは、データ線６ａに沿うように図中Ｙ方向に沿って延び且つ該データ線６ａよりも幅広に形成された本線部と、該シールド層４００Ｕと前述の蓄積容量７０を構成する固定電位側容量電極である容量電極４００Ｄとを電気的に接続する、後述のコンタクトホール８０１に対応する箇所が突出した突出部とを備えている。また、このシールド層４００Ｕは、画素電極９ａが配置された画像表示領域１０ａからその周囲に延設され、定電位源と電気的に接続されることで、固定電位とされている。なお、ここに述べた「定電位源」としては、データ線駆動回路１０１に供給される正電源や負電源の定電位源でもよいし、対向基板２０の対向電極２１に供給される定電位源でも構わない。なお、このシールド層４００Ｕに関する構成については、前述において後に説明を譲った蓄積容量７０等の構成に関する説明とともに、後に改めて詳しく触れることとする。
【００８７】
以上説明した前述のデータ線６ａの上、かつ、シールド層４００Ｕの下には、ＮＳＧ、ＰＳＧ、ＢＳＧ、ＢＰＳＧ等のシリケートガラス膜、窒化シリコン膜や酸化シリコン膜等、あるいは好ましくはＮＳＧからなる第２層間絶縁膜４２が形成されている。この第２層間絶縁膜４２には、前記のシールド層４００Ｕと容量電極４００Ｄとを電気的に接続するためのコンタクトホール８０１、及び、画素電極９ａと中継層７１とを電気的に接続するためのコンタクトホール８５がそれぞれ開孔されている。
【００８８】
なお、第２層間絶縁膜４２に対しては、第１層間絶縁膜４１に関して前述したような焼成を行わないことにより、容量電極４００Ｄの界面付近に生じるストレスの緩和を図るようにしてもよい。
【００８９】
最後に、第５層には、上述したように画素電極９ａがマトリクス状に形成され、該画素電極９ａ上に配向膜１６が形成されている。そして、この画素電極９ａ下には、ＮＳＧ、ＰＳＧ、ＢＳＧ、ＢＰＳＧ等のシリケートガラス膜、窒化シリコン膜や酸化シリコン膜等、あるいは好ましくはＢＰＳＧからなる第３層間絶縁膜４３が形成されている。この第３層間絶縁膜４３には、画素電極９ａ及び中継層７１間を電気的に接続するためのコンタクトホール８５が開孔されている。すなわち、コンタクトホール８５は、第３層間絶縁膜４３及び第２層間絶縁膜４２を貫くように形成されていることになる。
【００９０】
また、第１実施形態では特に、第３層間絶縁膜４３の表面は、ＣＭＰ（Chemical Mechanical Polishing）処理等により平坦化されており、その下方に存在する各種配線や素子等による段差に起因する液晶層５０の配向不良を低減する。ただし、このように第３層間絶縁膜４３に平坦化処理を施すのに代えて、又は加えて、ＴＦＴアレイ基板１０、下地絶縁膜１２、第１層間絶縁膜４１及び第２層間絶縁膜４２のうち少なくとも一つに溝を掘って、データ線６ａ等の配線やＴＦＴ３０等を埋め込むことにより、平坦化処理を行ってもよい。
【００９１】
（蓄積容量、シールド層及びデータ線に関する構成）
以下では、第１実施形態における蓄積容量７０、シールド層４００Ｕ及びデータ線６ａに関する構成について、図４及び図５を参照しながら、より詳しく説明することとする。ここに図４は図２のＢ−Ｂ’断面図であり、図５は図２のＣ−Ｃ’断面図である。また、図６は、図５に対応する変形形態に係る図２のＣ−Ｃ’断面図である。
【００９２】
まず、第１実施形態においては、蓄積容量７０は、既に述べたように、下部電極たる中継層７１、誘電体膜７５及び上部電極たる容量電極４００Ｄから構成されている。このうち第１実施形態においては特に、上部電極たる容量電極４００Ｄに特徴がある。
【００９３】
まず、該容量電極４００Ｄは、図３から図５に示すように、データ線６ａと同一膜として、すなわち製造工程段階において同時に形成されている。これにより、容量電極４００Ｄ及びデータ線６ａは、同一平面内で電気的に接続されることのないように、パターニング上分断されるようになっている。具体的には、データ線６ａは、図２においてＹ方向に延在するように、且つ、画素電極９ａ間を縫うように、ストライプ状に形成されているとともに、容量電極４００Ｄは、図２中Ｘ方向に延在し、画素電極９ａ間を縫うように、且つ、相隣接するデータ線６ａ間にのみ存在するように、略四辺形状のものが島状に形成されている。なお、この略四辺形状には、コンタクトホール８５に対応するように括れ部が形成されている。
【００９４】
また、これら容量電極４００Ｄ及びデータ線６ａは、図３乃至図５に示すように、下層に導電性ポリシリコン膜Ａ１、上層にアルミニウム膜Ａ２の二層構造を有する膜として形成されている。このうちデータ線６ａについては、前述した誘電体膜７５の開口部を貫通するコンタクトホール８１を介して、ＴＦＴ３０の半導体層１ａと電気的に接続されることとなるが、該データ線６ａが上述のような二層構造をとり、また後述の中継層７１が導電性のポリシリコン膜からなることにより、該データ線６ａ及び半導体層１ａ間の電気的接続は、直接には、導電性のポリシリコン膜によって実現されることになる（すなわち、下から順に、半導体層１ａ、中継層７１のポリシリコン膜、データ線６ａの下層のポリシリコン膜Ａ１及びその上層のアルミニウム膜Ａ２ということになる。）。したがって、両者間の電気的接続を良好に保つことが可能となる。
【００９５】
また、容量電極４００Ｄ及びデータ線６ａは、光反射性能に比較的優れたアルミニウムを含み、且つ、光吸収性能に比較的優れたポリシリコンを含むことから、遮光層として機能し得る。すなわち、これらによれば、ＴＦＴ３０の半導体層１ａに対する入射光（図３参照）の進行を、その上側で遮ることが可能である。
【００９６】
このような容量電極４００Ｄは、蓄積容量７０の固定電位側容量電極として機能する。容量電極４００Ｄを固定電位とするためには、上述のように、画像表示領域１０ａ外の定電位源に接続されることで固定電位とされたシールド層４００Ｕと、コンタクトホール８０１を介して電気的に接続されることによってなされている。
【００９７】
ここでシールド層４００Ｕは、既に述べたように、平面的に見ると、図２中Ｙ方向に延在する本線部と、前記コンタクトホール８０１に対応する箇所に突出する突出部とを有し、一本一本のデータ線６ａに対応するように、その一本一本が形成されるようになっている。また、このシールド層４００Ｕの幅は、データ線６ａの幅よりも広い。以上の結果、シールド層４００Ｕは、データ線６ａを覆うようにして形成されていることになり、これにより、該データ線６ａと画素電極９ａとが直接的に対向するような部分をなくしている。
【００９８】
また、このシールド層４００Ｕは、アルミニウムからなる。これにより、該シールド層４００Ｕは低抵抗化されているため、該シールド層が高抵抗である場合に懸念される、クロストークや焼き付き等を発生させるおそれがなくなり、より高品質の画像を表示することができる。
【００９９】
以上のほか、第１実施形態に係る蓄積容量７０は、前述の容量電極４００Ｄの下に、誘電体膜７５、中継層７１の二つの要素を備えている。より詳細には、中継層７１は、例えば導電性のポリシリコン膜からなり画素電位側容量電極として機能する。ただし、中継層７１は、金属又は合金を含む単一層膜又は多層膜から構成してもよい。また、この中継層７１は、画素電位側容量電極としての機能のほか、コンタクトホール８３及び８５を介して、画素電極９ａとＴＦＴ３０の高濃度ドレイン領域１ｅとを中継接続する機能をもつ。中継層７１は、平面的にみると、図２に示すように、略Ｔ字型の形状を有している（すなわち、図２中、Ｘ方向にＴ字型の縦棒が、Ｙ方向にその横棒が延在するような形状となっている。）。
【０１００】
誘電体膜７５は、図３に示すように、例えば膜厚５〜２００ｎｍ程度の比較的薄いＨＴＯ（High Temperature Oxide）膜、ＬＴＯ（Low Temperature Oxide）膜等の酸化シリコン膜、あるいは窒化シリコン膜等から構成される。蓄積容量７０を増大させる観点からは、膜の信頼性が十分に得られる限りにおいて、誘電体膜７５は薄いほどよい。また、容量増大という観点からは、誘電体膜の誘電率εは大きいほどよい。したがって、高誘電率材料を用いることが好ましいと考えられるが、そのような材料としては例えば、ＴａＯｘ（酸化タンタル）、ＢＳＴ（チタン酸ストロンチウムバリウム）、ＰＺＴ（チタン酸ジルコン酸塩）、ＴｉＯ2（酸化チタン）、ＺｉＯ2（酸化ジルコニウム）、ＨｆＯ2（酸化ハフニウム）及びＳｉＯＮ（酸窒化シリコン）及びＳｉＮ（窒化シリコン）のうち少なくとも一つを含んでなる絶縁材料等を挙げることができる。特に、ＴａＯｘ、ＢＳＴ、ＰＺＴ、ＴｉＯ2、ＺｉＯ2及びＨｆＯ2といった高誘電率材料を使用すれば、限られた基板上領域で容量値を増大できる。あるいは、ＳｉＯ2（酸化シリコン）、ＳｉＯＮ（酸窒化シリコン）及びＳｉＮといったシリコンを含む材料を使用すれば、層間絶縁膜等におけるストレス発生を低減できる。
【０１０１】
さらに、この誘電体膜７５は、場合により、複数の構造を有するように構成してもよい。例えば、下層に酸化シリコン膜、上層に窒化シリコン膜という二層構造をとると好適である。これにより、比較的誘電率の大きい窒化シリコン膜が存在することにより、蓄積容量７０の容量値を増大させることが可能となる他、それにもかかわらず、酸化シリコン膜が存在することにより、蓄積容量７０の耐圧性を低下せしめることがない。このように、誘電体膜７５を二層構造とすることにより、相反する二つの作用効果を享受することが可能となる。また、窒化シリコン膜が存在することにより、ＴＦＴ３０に対する水の浸入を未然に防止することが可能となっている。これにより、第１実施形態では、ＴＦＴ３０におけるスレッショルド電圧の上昇という事態を招来することがなく、比較的長期の装置運用が可能となる。なお、第１実施形態では、誘電体膜７５は、二層構造を有するものとなっているが、場合によっては、例えば酸化シリコン膜、窒化シリコン膜及び酸化シリコン膜等というような三層構造や、あるいはそれ以上の積層構造を有するように構成してもよい。
【０１０２】
以上のように、第１実施形態に係る電気光学装置においては、容量電極４００Ｄは、シールド層４００Ｕとは別の層に形成されており、該容量電極４００Ｄが、蓄積容量７０の一方電極を含み、他方電極は、容量電極４００Ｄに対向するように形成された中継層７１に含まれることになる。すなわち、上述の容量電極４００Ｄ及び中継層７１は、それぞれ、本発明にいう「導電層」及び「他の導電層」に該当することになる。なお、第１実施形態に係る電気光学装置では特に、上述のように、「導電層」たる容量電極４００Ｄはデータ線６ａと同一層として形成されている。
【０１０３】
このような構成となる第１実施形態の電気光学装置においては、次のような作用効果が奏されることになる。すなわち、まず、第１実施形態の電気光学装置では、データ線６ａに沿うようにして固定電位のシールド層４００Ｕが形成されていることにより、該データ線６ａ及び画素電極９ａ間に寄生容量を生じさせることが殆どない。すなわち、データ線６ａの通電によって、画素電極９ａにおける電位変動等が生じる可能性を低減することが可能となり、画像上に該データ線６ａに沿った表示ムラ等を発生させることなどない、より高品質な画像を表示することが可能となる。
【０１０４】
また、第１実施形態においては、シールド層４００Ｕに接続された導電層たる容量電極４００Ｄが、蓄積容量７０の上部電極を構成していることから、ＴＦＴアレイ基板１０上の積層構造の簡易化・簡略化を実現することができる。また、同じ理由により、積層構造中におけるシールド層４００Ｕ及び蓄積容量７０の配置を、よりコンパクトに、あるいはより好適に実現することができる。この点、第１実施形態では特に、容量電極４００Ｄはデータ線６ａと同一層として形成されていることから、積層構造の更なる簡略化等が図られている。すなわち、第１実施形態では、下から順に、蓄積容量７０（中継層７１、誘電体膜７５及び容量電極４００Ｄ）、第２層間絶縁膜４２及びシールド層４００Ｕという簡易な構造を実現することができる。
【０１０５】
なお、上述において、シールド層４００Ｕは、アルミニウムからなるものとされていたが、本発明はこのような形態に限定されるものではない。すなわち、本発明において、シールド層は、データ線６ａ及び画素電極９ａ間のデカップリングを行う機能を最低限もてばよいから、基本的には、固定電位となりえる材料であれば何を選択してもよい。
【０１０６】
また、場合によっては、シールド層は積層体を構成してもよい（後述の第２実施形態、参照）。より具体的には、図３等において、アルミニウム膜及び窒化チタン膜という二層構造をとると好ましい。これによれば、まず、該シールド層はアルミニウムを含むから、上述と同様に低抵抗化を図ることが可能である。また、水分をせき止める作用に比較的優れた窒化チタン膜が存在することにより、ＴＦＴ３０の半導体層１ａ等に対して、水分が浸入していくことを未然に防止することが可能となる。これにより、ＴＦＴ３０の寿命を長期化することが可能となり、比較的長い間、安定した装置運用を行うことができる。
【０１０７】
また、このようなシールド層は、光反射性能に比較的優れたアルミニウムを含み、且つ、光吸収性能に比較的優れた窒化チタンを含むことから、遮光層として機能し得る。すなわち、ＴＦＴ３０の半導体層１ａに対する入射光（図２参照）の進行を、その上側でさえぎることが可能となるのである。ちなみに、このようなことについては、既に述べたように、容量電極４００Ｄ及びデータ線６ａについても同様にいえる。このように、第１実施形態においては、これらシールド層４００Ｕ、容量電極４００Ｄ及びデータ線６ａが、ＴＦＴアレイ基板１０上に構築される積層構造の一部をなしつつ、ＴＦＴ３０に対する上側からの光入射を遮る上側遮光膜（あるいは、「積層構造の一部」を構成しているという点に着目すれば「内蔵遮光膜」）として機能しうる。なお、この「上側遮光膜」ないし「内蔵遮光膜」なる概念によれば、上述の構成のほか、走査線３ａ等もまた、それに含まれるものとして考えることができる。要は、最も広義に解すれば、ＴＦＴアレイ基板１０上に構築される不透明な材料からなる構成であれば、「上側遮光膜」ないし「内蔵遮光膜」と呼びうる。
【０１０８】
そして、このような「上側遮光膜」という概念には、比較的光吸収性に優れたポリシリコンを含み得る前述の中継層７１もまた含まれ得る。この点、第１実施形態における中継層７１は、既に述べたように、平面的に見て、略Ｔ字型の形状を有する、より具体的には、図２において、チャネル領域１ａ’の上下両方向に該中継層７１が存在しこれを覆うように形成されていることから、該中継層７１は、上側遮光膜として如何ない機能を発揮することが可能となる。
【０１０９】
なお、これに関連して、本発明においては、上述の図５に示すような構成に代えて、図６に示すような構成を採用してもよい。すなわち、中継層７１において、図２中、半導体層１ａ中の下方向に延びる部分を省略する構成である。この場合、該中継層７１は、平面的に見て、略Ｌ字型の形状を有することとなる。このような場合、上述のような上側遮光膜としての機能は、ある程度、削減されることになるが、該中継層７１は、蓄積容量７０の他方電極としての機能（すなわち、容量電極４００Ｄと対向する部分が存在すればよい。）と、ＴＦＴ３０及び画素電極９ａ間の電気的中継を行う機能（すなわち、コンタクトホール８３の位置に対応する部分が存在すればよい。）とを備えればよいということからすると、前記の省略された部分は必須ではないから、特段の支障が生じるわけではない。
【０１１０】
（第２実施形態）
以下では、本発明の第２の実施形態について、図７及び図８を参照しながら説明する。ここに図７及び図８は、それぞれ、図２及び図３と同趣旨の図であって、ＴＦＴアレイ基板１０上に構築される積層構造の態様が異なるものを示している。なお、この第２実施形態の電気光学装置の画素部における構成等については、前述の第１実施形態の電気光学装置と略同様であるので、以下では、両者間で実質的に同一、あるいは重複する部分については、その説明を省略乃至簡略化することとし、第２実施形態に特徴的な部分についてのみ主に説明を加えることとする。また、以下で参照する図面において、前記の「実質的に同一、あるいは重複する」要素を指示する場合には、上述の図１から図６までに使用した符号と同一の符号を用いることとする。
【０１１１】
第２実施形態では、図７及び図８に示すように、第１実施形態と比較して、第２中継層４０２が設けられている点、及び、蓄積容量７０Ａとデータ線６ａ’の配置態様が大きく異なる。より詳しくは、図７及び図８においてまず、第４層には、本発明にいう「中継層」の一例たる第２中継層４０２がシールド層４００Ｖと同一膜として形成されている。この第２中継層４０２は、蓄積容量７０Ａの下部電極たる中継層７１と、第２層間絶縁膜４２に穿設されたコンタクトホール８５１を介して電気的に接続されているとともに、画素電極９ａと、第３層間絶縁膜４３に穿設されたコンタクトホール８９を介して電気的に接続されている。なお、これら第２中継層４０２及びシールド層４００Ｖ間は、前述の容量電極４００Ｄ及びデータ線６ａと同様に、平面形状的に連続して形成されているのではなく、両者間はパターニング上分断されるように形成されている。他方、これら第２中継層４０２及びシールド層４００Ｖは、上層に窒化チタン膜、下層にアルミニウム膜という二層構造を備えている。
【０１１２】
以上のような構造により、第２実施形態では、まず、第１実施形態のように比較的深いコンタクトホール８５を形成する必要がなく、比較的浅いコンタクトホール８９及び８５１を形成すればよいことになる。したがって、一般にコンタクトホール形成工程が電気光学装置の生産性に影響を及ぼす（いわば、「律速工程」ともいえる。）ことを鑑みるに、第２実施形態においては、この点において有利であることになる。また、第２中継層４０２が、上述のような二層構造を有することにより、ＩＴＯからなる画素電極９ａと直接的に接触することとなるのは、窒化チタン膜ということになる。したがって、第２実施形態においては、両者間にいわゆる電食を生じさせるおそれを低減することができる。ここに電食とは、ＩＴＯとアルミニウム等が直接に接触することにより、後者において断線（侵食）を生じさせたり、該アルミニウム内にアルミナ等が形成されることにより絶縁を生じさせたりする現象である。第２実施形態では、このような現象の発生を抑制することができるから、ほぼ常に、画素電極９ａ及びＴＦＴ３０間の電気的導通を良好に維持することが可能となる。なお、このような二層構造をシールド層４００Ｖが採っていることにより、低抵抗化及びＴＦＴ３０の耐湿性向上（水分浸入防止作用）が見込めることは、上記第１実施形態と同様である。
【０１１３】
一方、図８においては、蓄積容量７０Ａ及びデータ線６ａ’が、第３層に同一膜として形成されている点については上記第１実施形態と同様であるが、両構成要素の平面的な形状が異なっている。すなわち、蓄積容量７０Ａを構成する容量電極３００は、図７に示すように、走査線３ａの形成領域に重なるように、且つ図中Ｘ方向に沿って分断されつつ形成されており、データ線６ａ’は、半導体層１ａの長手方向に一致するように、換言すれば図中Ｙ方向に延在するように形成されている。更に詳しくは、容量電極３００は、走査線３ａに沿って延びる本線部と、図中、半導体層１ａと交差する個所から該半導体層１ａに沿って突出した突出部と、前述のコンタクトホール８５１に対応する個所が僅かに括れた括れ部とを備えている。このうち突出部は、蓄積容量７０Ａの形成領域の増大に貢献する。他方、データ線６ａ’は、図中Ｙ方向に沿って延びる本線部と、コンタクトホール８１に対応する箇所が突出した突出部とを備えている。このうちデータ線６ａ’の本線部は、画素電極９ａ間の間隙の中央からみると、図２においてやや左寄りに位置している。
【０１１４】
容量電極３００及びデータ線６ａがこのような平面形状を有することにより、第１実施形態と比べると明らかなように、蓄積容量７０Ａの面積が相対的に増大していることがわかる。また、第２実施形態では、蓄積容量７０Ａの下部電極とデータ線６ａ’とは直接的には重なり合うことなく構成されることになる。すなわち、第１実施形態においては、その平面形状が略Ｔ字型の中継層７１が存在し且つ同一幅のデータ線６ａが図２中Ｙ方向に延在していたため、該中継層７１の直上にデータ線６ａが形成されるような形となっていたが（図３及び図５参照）、第２実施形態では、データ線６ａ’が、容量電極３００の面積増大に対応するように、画素電極９ａの間隙の中央から見て図２においてやや左寄りに、あるいは大きく括れる形で形成されているため、中継層７１、誘電体膜７５及びデータ線という積層構造が形成されないようになっているのである。
【０１１５】
以上のことにより、第２実施形態では、まず、第１実施形態に比べて、蓄積容量７０Ａの容量値が相対的に増大することから、画素電極９ａにおける電位保持特性をよりよく向上させることができる。また、第２実施形態では、中継層７１、誘電体膜７５及びデータ線という積層構造が形成されないようになっていることから、当該部分における無用な寄生容量を形成するおそれがない。仮に、このような寄生容量が形成されると、データ線に対する通電により、中継層７１の電位変動をもたらすおそれがあり、あるいは中継層７１に対する通電により、データ線に対する電位変動をもたらすおそれがある。第２実施形態では、前記の寄生容量が形成されないから、このような影響を可能な限り排除することが可能となり、より高品質な画像を表示することができるのである。
【０１１６】
ただし、第２実施形態においては、このような作用効果を得る代償として、データ線６ａ’の線幅が相対的に小さくなる。したがって、一般的には、データ線６ａ’の相対的な高抵抗化を招くことにはなるが、該データ線６ａ’は、上述のようにアルミニウムを含むことにより、相当程度の狭小化を行っても、十分に低い抵抗値を実現することができる。よって、画像信号の供給に支障が生じるというおそれは小さい。
【０１１７】
ただ、第１及び第２実施形態でデータ線６ａ及び６ａ’が同一材料からなる場合においては、後者の方が相対的に高抵抗化することは否定できない。要するに、第１及び第２実施形態は、それぞれ、固有の作用効果を奏する形態と捉えることが可能であり、いずれを選択するかは、装置の仕様、使用環境、当該電気光学装置が組み込まれることとなる電子機器の種類等によって、適宜決められることになる。
【０１１８】
（第３実施形態）
以下では、本発明の第３の実施形態について、図９及び図１０を参照しながら説明する。ここに図９及び図１０は、それぞれ、図２及び図３と同趣旨の図であって、ＴＦＴアレイ基板１０上に構築される積層構造の態様が異なるものを示している。なお、この第３実施形態の電気光学装置の画素部における構成等については、前述の第１実施形態の電気光学装置と略同様であるので、以下では、両者間で実質的に同一、あるいは重複する部分については、その説明を省略乃至簡略化することとし、第２実施形態に特徴的な部分についてのみ主に説明を加えることとする。また、以下で参照する図面において、前記の「実質的に同一、あるいは重複する」要素を指示する場合には、上述の図１から図６までに使用した符号と同一の符号を用いることとする。
【０１１９】
第３実施形態では、図９及び図１０に示すように、第２実施形態と比較して、蓄積容量を構成する上部電極たる容量電極３００とデータ線６ａ''とが同一膜として形成されていない点、また、それに伴って、層間絶縁膜が増加されている（新たにもう一層、「第４層間絶縁膜４４」が設けられている）点に大きな相違がある。これにより、第１実施形態における第３層には、蓄積容量７０及びデータ線６ａが形成されていたのに代えて、第３実施形態では、実質的に蓄積容量（符号、７０Ｂ）のみが形成され、新第４層にはデータ線６ａ''が形成され、新第５層にはシールド層４００Ｗが形成される形となっている。また、新第４層と新第５層との間には、新たに第４層間絶縁膜４４が設けられ、第１実施形態において第５層として形成されていた画素電極９ａは、第３実施形態において新しく第６層として形成されている。
【０１２０】
第３実施形態では、このようにデータ線６ａ''及び容量電極３００が別々の層に形成されることにより、両者間の同一平面内における電気的絶縁について配慮する必要はない。これにより、第３実施形態では、例えば、走査線３ａの延在方向に一致するように容量線を形成するとともに、容量電極３００は、該容量線の一部として構成することが可能となる（図９参照）。このような構成によれば、容量電極３００を固定電位とするためには、上述のシールド層４００Ｕに関して述べたと同様に、該容量線を画像表示領域１０ａからその周囲に延設するとともに、これを前記定電位源と接続する形態などとすればよい。ただ、シールド層４００Ｗ及び容量電極３００間において、図９及び図１０に示すようにコンタクトホール８０１’及び８０３を形成することにより両者間を電気的に接続するのであれば、シールド層４００Ｗ及び容量電極３００を含む容量線のうちいずれか少なくとも一方について、上述のような定電位源との接続を図ればよい。また、このような構成であれば、シールド層４００Ｗ及び容量電極３００は冗長構造をとるから、仮に、シールド層４００Ｗ又は容量電極３００の一部について通電が不能となる箇所が生じたとしても、その影響が全体的に波及する事態を未然に回避することができる。
【０１２１】
他方、データ線６ａ''と容量電極３００とが別々の層に形成されていることに伴い、第３実施形態におけるシールド層４００Ｗは、前記の第１及び第２実施形態に比べて相対的により上層に位置することになる（すなわち、データ線６ａ''及びシールド層４００Ｗ間に第３層間絶縁膜４３が形成される。）。また、該シールド層４００Ｗと容量電極３００とを電気的に接続するために、データ線６ａ''と同一膜として形成されたシールド層用中継層６ａ１が新たに形成されている。このシールド層用中継層６ａ１は、シールド層４００Ｗとはコンタクトホール８０３を介し、容量電極３００とはコンタクトホール８０１’を介して、それぞれ電気的に接続されている。
【０１２２】
以上のように、第３実施形態に係る電気光学装置においては、蓄積容量７０Ｂを構成する一方電極は容量電極３００、そして容量線に含まれ、他方電極は、第１中継層７１１に含まれることになる。すなわち、上述の容量電極３００あるいは容量線及び第１中継層７１１は、それぞれ、本発明にいう「導電層」及び「他の導電層」に該当することになる。
【０１２３】
なお、この第３実施形態に係る電気光学装置においては、上述の他、本発明にいう「中継層」の一例たる第３中継層４０６が、シールド層４００Ｗと同一膜として設けられている。これら第３中継層４０６及びシールド層４００Ｗは、前記の第２実施形態と同様に、上層に窒化チタン膜、下層にアルミニウム膜という二層構造を有している。これにより、画素電極９ａのＩＴＯとの電食の発生が防止される。そして、この第３中継層４０６は、コンタクトホール８０４を介して第２中継層４０２’と電気的に接続されている。ただし、ここにいう第２中継層４０２’は、前記の第２実施形態におけるそれとは若干意味合いが異なり、該第２中継層４０２’は、データ線６ａ''と同一膜として形成されており、したがって、上層にアルミニウム膜、下層に導電性ポリシリコン膜という二層構造を有するものとなっている。この第２中継層４０２’は、コンタクトホール８０２を介して、蓄積容量７０Ｂの下部電極たる第１中継層７１１と電気的に接続されている。
【０１２４】
そして、以上のような構造により、第３実施形態では、第１実施形態に比べて、蓄積容量７０Ｂの容量値が相対的に増大することから、画素電極９ａにおける電位保持特性をよりよく向上させることができる。また、第３実施形態では、第２実施形態と同様に、第１中継層、誘電体膜７５及びデータ線という積層構造が形成されないようになっていることから、当該部分における無用な寄生容量を形成するおそれがない。ただし、第３実施形態でこのような作用効果が得られるのは、第２実施形態のようにデータ線６ａ’及び容量電極３００の平面的形状に工夫を加えることによってではなく、両者を別々の層に形成することによってである。
【０１２５】
なお、上述の第３実施形態においては、「導電層」たる容量電極３００が、データ線６ａ''と同一膜として形成されていないが、本発明は、このような形態も当然にその範囲内に収めるものである。むろん、このような第３実施形態、すなわちシールド層４００Ｗとデータ線６ａ''を別々の層として形成する態様を基礎として、「導電層」たる容量電極を、データ線６ａ''と同一膜として形成することも可能である。そのような構造を有する電気光学装置は、例えば図１１及び図１２に示すようなものとなる。ここに図１１及び図１２は、図９及び図１０と同趣旨の図であって、その変形形態に係る平面図及び断面図である。
【０１２６】
この図１１及び図１２において、第４層には、容量電極３０２とデータ線６ａ''とが同一層に形成されている。これに伴い、図１０において第３層として形成されていた容量電極３００は省略されており、また、図１２における第４層には、下部電極７１１Ａが形成されている。この下部電極７１１Ａは、第３層に依然位置する第１中継層７１１とコンタクトホール８０１''を介して電気的に接続されている。そして、容量電極３０２と下部電極７１１Ａとの間には、誘電体膜７５１が形成されており、これらにより蓄積容量７０Ｂ’が構成されるようになっている。
【０１２７】
なお、図１２においては、第１中継層７１１と画素電極９ａとが、コンタクトホール８９１を介して、直接的に接続されるようになっている。これにより、図１１の平面図に示すように、図９と比べてコンタクトホールの数が減少していることに伴い、前記の容量電極３０２及び下部電極７１１Ａの面積を比較的広大に（とりわけ、図中右方向に広く）とることができる。すなわち、第１中継層７１１と画素電極９ａとを直接的に接続することによって、蓄積容量７０Ｂ’の容量値の増大が図られるようになっている。また、図１１及び図１２における第１中継層７１１は、図９及び図１０におけるそれと同様に、平面的に見ると略Ｔ字型を有しており、チャネル領域１ａ’を中心として半導体層１ａを覆うように形成されている。これにより、既に述べたように、半導体層１ａ及び画素電極９ａ間の電気的接続を中継する機能を発揮する他、該半導体層１ａに対する上側遮光膜として機能しうるようになっている。
【０１２８】
そして、このような変形形態においても、上述と略同様に、第１中継層、誘電体膜及びデータ線という積層構造が形成されないから、該積層構造に起因する寄生容量が発生しないという作用効果を享受することが可能である。それに加えて、この変形形態においては、データ線６ａ''と容量電極３０２とが同一層として形成されており、上記の図９及び図１０に示す形態と比べると、容量電極３００の形成ないしその工程を省略することが可能となっている。したがって、本変形形態では、その分の製造工程の簡略化、製造コストの低廉化等の達成という特有の効果を得ることができる。
【０１２９】
（第４実施形態）
以下では、本発明の第４の実施形態について、図１３乃至図１６を参照しながら説明する。ここに図１３及び図１４は、それぞれ、図２及び図３と同趣旨の図であって、ＴＦＴアレイ基板１０上に構築される積層構造の態様が異なるものを示している。同様に、図１５及び図１６は、図４及び図５と同趣旨の図である。
なお、この第４実施形態の電気光学装置の画素部における構成等については、前述の第１実施形態の電気光学装置と略同様であるので、以下では、両者間で実質的に同一、あるいは重複する部分については、その説明を省略乃至簡略化することとし、第２実施形態に特徴的な部分についてのみ主に説明を加えることとする。また、以下で参照する図面において、前記の「実質的に同一、あるいは重複する」要素を指示する場合には、上述の図１から図６までに使用した符号と同一の符号を用いることとする。
【０１３０】
第４実施形態では、図１４によく示すように、第１実施形態と比較して、蓄積容量の構成が大きく異なる。より詳しくは、図１３乃至図１６において、蓄積容量７０Ｃは、その一対の電極として、シールド層４００Ｘと、その下層且つデータ線６ａ’と同一膜として形成された中継電極７１２とが該当し、誘電体膜として第２層間絶縁膜４２’が該当することにより、形成されるようになっている。すなわち、図１４と図３とを比較した場合において、具体的には、コンタクトホール８０１の形成が省略されている点、前記の第１及び第２実施形態において蓄積容量７０及び７０Ａの上部電極を構成していた容量電極４００Ｄ及び容量電極３００の形成が省略されている点、更には、第２層間絶縁膜４２’が相対的に薄く形成されている点が異なっている。
【０１３１】
蓄積容量７０Ｃが、このように形成されていることに対応して、前記データ線６ａ及び中継電極７１２は、平面的に見ると、図１３に示すような形状を呈す。
すなわち、蓄積容量７０Ｃを構成する中継電極７１２は、一個の画素電極９ａの一辺に沿うように、かつ、走査線３ａの形成領域に重なるように形成された本体部と、該本体部から延在しコンタクトホール８３に対応する領域に突出したコンタクト部とを有している。他方、データ線６ａ’は、上記の第２実施形態と略同様に、画素電極９ａ間の間隙の中央から見ると、図１３においてやや左寄りに位置しながら延在する本線部と、コンタクトホール８１に対応する箇所が突出した突出部とを備えている。
【０１３２】
また、第４実施形態においては、シールド層４００Ｘの平面的形状も若干の変更を受けており、図１３に示すように、前記の第１及び第２の実施形態においては、相隣接するシールド層４００Ｘから対向するように突出していた突出部が、相互に接続されるような形が呈されている。要するに、第４実施形態におけるシールド層４００Ｘは、各コンタクトホール８５の形成位置に対応する括れ部をそれぞれ有しつつも、全体的に、格子状にパターニングされていることになる。このような形状は、蓄積容量７０Ｃの形成領域の増大に貢献することになる。なお、場合によっては、前記の第１及び第２の実施形態と同様に、シールド層４００Ｘをストライプ状に形成するようにしてよいことは勿論である。
【０１３３】
以上のように、第４実施形態に係る電気光学装置においては、蓄積容量７０Ｃを構成する一方電極はシールド層４００Ｘに含まれ、他方電極は、データ線６ａ’と同一層として形成された中継電極７１２に含まれることになる。すなわち、上述の中継電極７１２は、本発明にいう「独立的導電層」に該当することになる。
【０１３４】
以上のような構造により、第４実施形態では、誘電体膜７５、容量電極４００Ｄ、あるいは容量電極３００を形成する手間が省かれる分、製造工程の簡略化、あるいは製造コストの低廉化を図ることができる。そして、これらの要素を形成しなくて済む分、積層構造の多層化を防止することができる。
【０１３５】
また、第４実施形態では、データ線６ａとシールド層４００Ｘとの電気的絶縁を図る絶縁膜と、蓄積容量７０Ｃを構成する誘電体膜とは、同じ第２層間絶縁膜４２’がその役割を担うことになる。また、これと同時に、シールド層４００Ｘは、前述のようにデータ線６ａ及び画素電極９ａ間の寄生容量の影響排除という役割を担うとともに、蓄積容量７０Ｃの一方電極の役割を担うことになる。このように、第２層間絶縁膜４２’及びシールド層４００Ｘは、第４実施形態において両義的な存在になるから、これによっても、積層構造の簡易化、あるいは製造工程の簡略化等の作用効果が導かれる。
【０１３６】
なお、このようなことから、第４実施形態に係る第２層間絶縁膜４２’については、上記の第１実施形態で述べたように、高誘電率化を図るべく、例えばＴａＯｘ、ＢＳＴ、ＰＺＴ等を使用して形成するようにしてもよいし、また、酸化シリコン膜及び窒化シリコン膜の二層構造を有するように形成してもよい。
【０１３７】
また、前述においては、シールド層４００Ｘは格子状に形成されていたが、このような形態は、上記の第１及び第２実施形態においても同様に採用することが可能である。ただし、これら第１及び第２実施形態においては、シールド層４００Ｘが、蓄積容量７０及び７０Ａの一方電極を構成していないので、その容量値増大という効果が得られるわけではない。ただ、該シールド層４００Ｘが、上述の第２実施形態のように、窒化チタン膜を含むように形成されているのならば、ＴＦＴ３０の半導体層１ａに対する水分浸入防止作用を、基板上のより広い面積で享受することが可能となるから、該ＴＦＴ３０、ひいては電気光学装置の長期運用が可能となるという利点は得られる。
【０１３８】
さらに、第４実施形態においては、上述のように蓄積容量７０Ｃを構成するとしても、それに加えて、該蓄積容量７０Ｃの積層構造中下方に、他の蓄積容量を構成するようにしてもよい。これによれば、電気光学装置全体としての蓄積容量の容量値の増大化を図ることができる。
【０１３９】
この点特に、シールド層４００Ｘ及び中継電極７１２を一対の電極として蓄積容量７０Ｃが構成される場合においては、上述のように、該中継電極７１２と同一層としてデータ線６ａ’が形成されていることにより、該蓄積容量７０Ｃの誘電体膜たる第２層間絶縁膜４２’の薄膜化によりその容量値の増大を図るにあたっては、少なくとも前記データ線６ａ’の「高さ」を考慮して上で行う必要があり、それには相応の限界があることを鑑みるに、本構成に係る「他の蓄積容量」の存在は、画素電極９ａの電位保持特性を良好に維持することにとって大きな貢献をなし得る。
【０１４０】
なお、これを実現するためには、例えば、次のような構成を採ることが可能である。すなわち、中継電極７１に適当な箇所に括れ部、或いは開口部を設けるとともに、該括れ部、或いは開口部を通過するように第１層間絶縁膜４１に新たなコンタクトホールを穿設することで、シールド層４００Ｘと電気的に接続された導電層を、絶縁層２の上に設ける。一方、半導体層１ａを適当に延設することで延設部分を設ける。そして、前記導電層、絶縁層２及び延設部分によって、前記「他の蓄積容量」を構成するというものである。
【０１４１】
（電気光学装置の全体構成）
以上のように構成された各実施形態における電気光学装置の全体構成を図１７及び図１８を参照して説明する。なお、図１７は、ＴＦＴアレイ基板をその上に形成された各構成要素とともに対向基板２０の側からみた平面図であり、図１８は図１７のＨ−Ｈ’断面図である。
【０１４２】
図１７及び図１８において、本実施形態に係る電気光学装置では、ＴＦＴアレイ基板１０と対向基板２０とが対向配置されている。ＴＦＴアレイ基板１０と対向基板２０との間には、液晶５０が封入されており、ＴＦＴアレイ基板１０と対向基板２０とは、画像表示領域１０ａの周囲に位置するシール領域に設けられたシール材５２により相互に接着されている。
【０１４３】
シール材５２は、両基板を貼り合わせるため、例えば紫外線硬化樹脂、熱硬化樹脂等からなり、紫外線、加熱等により硬化させられたものである。また、このシール材５２中には、本実施形態における液晶装置がプロジェクタ用途のように小型で拡大表示を行う液晶装置であれば、両基板間の距離（基板間ギャップ）を所定値とするためのグラスファイバ、あるいはガラスビーズ等のギャップ材（スペーサ）が散布されている。あるいは、当該液晶装置が液晶ディスプレイや液晶テレビのように大型で等倍表示を行う液晶装置であれば、このようなギャップ材は、液晶層５０中に含まれてよい。
【０１４４】
シール材５２の外側の領域には、データ線６ａに画像信号を所定のタイミングで供給することにより該データ線６ａを駆動するデータ線駆動回路１０１及び外部回路接続端子１０２がＴＦＴアレイ基板１０の一辺に沿って設けられており、走査線３ａに走査信号を所定のタイミングで供給することにより、走査線３ａを駆動する走査線駆動回路１０４が、この一辺に隣接する二辺に沿って設けられている。
【０１４５】
なお、走査線３ａに供給される走査信号遅延が問題にならないのならば、走査線駆動回路１０４は片側だけでもよいことは言うまでもない。また、データ線駆動回路１０１を画像表示領域１０ａの辺に沿って両側に配列してもよい。
【０１４６】
ＴＦＴアレイ基板１０の残る一辺には、画像表示領域１０ａの両側に設けられた走査線駆動回路１０４間をつなぐための複数の配線１０５が設けられている。
また、対向基板２０のコーナ部の少なくとも一箇所においては、ＴＦＴアレイ基板１０と対向基板２０との間で電気的に導通をとるための導通材１０６が設けられている。
【０１４７】
図１８において、ＴＦＴアレイ基板１０上には、画素スイッチング用のＴＦＴや走査線、データ線等の配線が形成された後の画素電極９ａ上に、配向膜が形成されている。他方、対向基板２０上には、対向電極２１のほか、最上層部分に配向膜が形成されている。また、液晶層５０は、例えば一種又は数種類のネマテッィク液晶を混合した液晶からなり、これら一対の配向膜間で、所定の配向状態をとる。
【０１４８】
ここで、本実施形態においては特に、上記第１乃至第４実施形態として説明した電気光学装置のシールド層（４００Ｕ、４００Ｖ、４００Ｗ又は４００Ｘ）に関連して、次のような特徴がある。すなわち、前述したデータ線駆動回路１０１及び走査線駆動回路１０４内には、例えばサンプリング回路やレベルシフタ回路等を構成するものとして、図１９に示すようなＣＭＯＳ型のＴＦＴ３５が比較的多数形成されている。ここに図１９は、前述の第１実施形態における電気光学装置の画像表示領域１０ａ内に形成されるＴＦＴ３０及びシールド層４００Ｕ等の構成とともに、周辺領域における前記ＴＦＴ３５の構成を併せて示す断面図である。
【０１４９】
そして、本実施形態では、このＴＦＴ３５の半導体層３５１ａに電気的に接続されるべき各種電極３５Ａ、３５Ｂ及び３５Ｃ（むろんソース電極及びドレイン電極を含む。）の少なくとも一つが、前記のシールド層４００Ｕと同一膜として形成されているのである（図１９参照）。なお、図１９においては、第１実施形態におけるシールド層４００Ｕと、前記電極３５Ａ、３５Ｂ及び３５Ｃのうち最前者（３５Ａ）及び最後者（３５Ｃ）の電極とが同時に形成される場合が例示されている。これにより、製造工程の簡略化、あるいは製造コストの低廉化等を図ることができる。また、上述の各種実施形態においてはいずれにしても、シールド層がアルミニウムを含んでいたから、これと同時に形成される前記電極３５Ａ、３５Ｂ及び３５Ｃの少なくとも一つもまた、アルミニウムを含むこととなり、その低抵抗化を実現することができる。
【０１５０】
なお、前記のＴＦＴ３５の半導体層３５１ａ、絶縁膜３５２、ゲート電極３５３ａ等に関しては、上述の画像表示領域１０ａ内におけるＴＦＴ３０の半導体層１ａ、絶縁膜２、走査線３ａ等と同時に形成されるようにしておけばよい。
【０１５１】
他方、本実施形態においては、前記の第２実施形態以降のように、シールド層４００Ｖ、４００Ｗ又は４００Ｘが窒化チタン膜を含む場合、該シールド層を形成する一段階たる窒化チタン膜形成工程において、図２０に示すように、前述のデータ線駆動回路１０１及び走査線駆動回路１０４等が形成される周辺領域をも覆うように、これと同時に、窒化チタン膜４０１を形成するような態様とすると好ましい。このようにすれば、窒化チタンが有する、既に述べたような水分浸入防止作用を、データ線駆動回路１０１及び走査線駆動回路１０４等を構成する前記のＴＦＴ３５についても、同様に享受することが可能となる。すなわち、該ＴＦＴ３５ないしその半導体層３５１ａの耐湿性が向上するから、該ＴＦＴ３５のスレッショルド電圧が上昇するという事態を可及的に回避することができ、もって該ＴＦＴ３５、ひいては当該電気光学装置の長期運用等が可能となるのである。
【０１５２】
なお、上記第１実施形態におけるシールド層４００Ｕは、アルミニウムの単層構造を有していたが、既に述べたように、該シールド層４００Ｕにおいても、第２実施形態以降で示したような二層構造を採用するようにしてよい。したがって、前記図２０に示すような構造は、第１実施形態に係る電気光学装置でも全く同様に採りえる。
【０１５３】
また、上記各種実施形態において、データ線は、アルミニウム膜及び導電性ポリシリコン膜の二層構造を有していたが、本発明においては、該データ線が、前記のような窒化チタン膜を含む構成をとってもよい。すなわち、例えば、図３等において、下から順に、アルミニウム膜及び窒化チタン膜を含む二層構造としたり、導電性ポリシリコン膜、アルミニウム膜及び窒化チタン膜の三層構造としたりすることが可能である。この場合においては、該データ線を構成すべき当該窒化チタン膜の形成工程において、図２０に示すような構造を同時に形成するようにすることが可能である。要は、図２０に示すような構造の形成は、画像表示領域１０ａ内における窒化物を含む膜を含む構成を形成する段階と同時に、これを行うようにすればよいのである。
【０１５４】
なお、ＴＦＴアレイ基板１０上には、これらのデータ線駆動回路１０１、走査線駆動回路１０４等に加えて、複数のデータ線６ａに画像信号を所定のタイミングで印加するサンプリング回路、複数のデータ線６ａに所定電圧レベルのプリチャージ信号を画像信号に先行して各々供給するプリチャージ回路、製造途中や出荷時の当該電気光学装置の品質、欠陥等を検査するための検査回路等を形成してもよい。
【０１５５】
（電子機器）
次に、以上詳細に説明した電気光学装置をライトバルブとして用いた電子機器の一例たる投射型カラー表示装置の実施形態について、その全体構成、特に光学的な構成について説明する。ここに、図２１は、投射型カラー表示装置の図式的断面図である。
【０１５６】
図２１において、本実施形態における投射型カラー表示装置の一例たる液晶プロジェクタ１１００は、駆動回路がＴＦＴアレイ基板上に搭載された液晶装置を含む液晶モジュールを３個用意し、それぞれＲＧＢ用のライトバルブ１００Ｒ、１００Ｇ及び１００Ｂとして用いたプロジェクタとして構成されている。液晶プロジェクタ１１００では、メタルハライドランプ等の白色光源のランプユニット１１０２から投射光が発せられると、３枚のミラー１１０６及び２枚のダイクロックミラー１１０８によって、ＲＧＢの三原色に対応する光成分Ｒ、Ｇ及びＢに分けられ、各色に対応するライトバルブ１００Ｒ、１００Ｇ及び１００Ｂにそれぞれ導かれる。この際、特に、Ｂ光は、長い光路による光損失を防ぐために、入射レンズ１１２２、リレーレンズ１１２３及び出射レンズ１１２４からなるリレーレンズ系１１２１を介して導かれる。そして、ライトバルブ１００Ｒ、１００Ｇ及び１００Ｂによりそれぞれ変調された三原色に対応する光成分は、ダイクロックプリズム１１１２により再度合成された後、投射レンズ１１１４を介してスクリーン１１２０にカラー画像として投射される。
【０１５７】
また、電気光学装置として、電気泳動装置や、ＥＬ装置等にも適用できる。
【０１５８】
本発明は、上述した実施形態に限られるものではなく、請求の範囲及び明細書全体から読み取れる発明の要旨、あるいは思想に反しない範囲で適宜変更可能であり、そのような変更を伴う電気光学装置及び電子機器もまた、本発明の技術的範囲に含まれるものである。
【図面の簡単な説明】
【０１５９】
【図１】本発明の第１実施形態の電気光学装置における画像表示領域を構成するマトリクス状の複数の画素に設けられた各種素子、配線等の等価回路を示す回路図である。
【図２】本発明の第１実施形態の電気光学装置におけるデータ線、走査線、画素電極等が形成されたＴＦＴアレイ基板の相隣接する複数の画素群の平面図である。
【図３】図２のＡ−Ａ’断面図である。
【図４】図２のＢ−Ｂ’断面図である。
【図５】図２のＣ−Ｃ’断面図である。
【図６】図５に対応する変形形態に関する図２のＣ−Ｃ’断面図である。
【図７】図２と同趣旨の図であって、本発明の第２実施形態（蓄積容量とデータ線の平面的形状の変更）の電気光学装置における平面図である。
【図８】図７のＡ−Ａ’断面図である。
【図９】図２と同趣旨の図であって、本発明の第３実施形態（蓄積容量とデータ線とを別々の層に形成）の電気光学装置における平面図である。
【図１０】図９のＡ−Ａ’断面図である。
【図１１】図２と同趣旨の図であって、本発明の第３実施形態の変形形態（一方電極とデータ線とを同一膜として形成）の電気光学装置における平面図である。
【図１２】図１１のＡ−Ａ’断面図である。
【図１３】図２と同趣旨の図であって、本発明の第４実施形態（一方電極がシールド層に含まれる）の電気光学装置における平面図である。
【図１４】図１３のＡ−Ａ’断面図である。
【図１５】図１３のＢ−Ｂ’断面図である。
【図１６】図１３のＣ−Ｃ’断面図である。
【図１７】本発明の実施形態の電気光学装置におけるＴＦＴアレイ基板を、その上に形成された各構成要素とともに対向基板の側から見た平面図である。
【図１８】図１７のＨ−Ｈ’断面図である。
【図１９】図１７の周辺領域におけるデータ線駆動回路及び走査線駆動回路を構成するＣＭＯＳ型ＴＦＴの構造を示す断面図である。
【図２０】図１７の周辺領域上に窒化チタン膜を形成した様子を示す平面図である。
【図２１】本発明の電子機器の実施形態である投射型カラー表示装置の一例たるカラー液晶プロジェクタを示す図式的断面図である。
【符号の説明】
【０１６０】
１ａ，３５１ａ…半導体層、１ａ’…チャネル領域、２，３５２…絶縁膜、３ａ…走査線、６ａ，６ａ’，６ａ''…データ線、９ａ…画素電極、１０…ＴＦＴアレイ基板、１０ａ…画像表示領域、１１ａ…下側遮光膜、１２…下地絶縁膜、１６…配向膜、２０…対向基板、２１…対向電極、２２…配向膜、３０，３５…ＴＦＴ、４１，４２，４３，４４…第１〜第４層間絶縁膜、５０…液晶層、７０，７０Ａ，７０Ｂ，７０Ｂ’，７０Ｃ…蓄積容量、８１，８２，８３，８０１，８０１’，８０１''，８５，８５１，８９，８０２，８０３，８０４，８９１…コンタクトホール、４００Ｕ，４００Ｖ，４００Ｗ，４００Ｘ…シールド層、６ａ１…シールド層用中継層、４００Ｄ，３００…容量電極（本発明にいう「導電層」の一例に該当する）、７５，７５１…誘電体膜、４２’…誘電体膜を兼ねる第２層間絶縁膜、７１…中継層、７１１…第１中継層、７１１Ａ…下部電極、７１２…中継電極（本発明にいう「独立的導電層」の一例に該当する）、４０２…第２中継層（第２実施形態におけるもの）、４０２’…第２中継層（第３実施形態におけるもの）、４０６…第３中継層。
【図１】
2008276256.tif 000003
【図２】
2008276256.tif 000004
【図３】
2008276256.tif 000005
【図４】
2008276256.tif 000006
【図５】
2008276256.tif 000007
【図６】
2008276256.tif 000008
【図７】
2008276256.tif 000009
【図８】
2008276256.tif 000010
【図９】
2008276256.tif 000011
【図１０】
2008276256.tif 000012
【図１１】
2008276256.tif 000013
【図１２】
2008276256.tif 000014
【図１３】
2008276256.tif 000015
【図１４】
2008276256.tif 000016
【図１５】
2008276256.tif 000017
【図１６】
2008276256.tif 000018
【図１７】
2008276256.tif 000019
【図１８】
2008276256.tif 000020
【図１９】
2008276256.tif 000021
【図２０】
2008276256.tif 000022
【図２１】
2008276256.tif 000023
【手続補正書】
【提出日】平成20年8月11日(2008.8.11)
【手続補正１】
【補正対象書類名】特許請求の範囲
【補正対象項目名】全文
【補正方法】変更
【補正の内容】
【特許請求の範囲】
【請求項１】
基板の一方の面側に、第１方向に延在するデータ線と、前記データ線と電気的に接続された画素電極と、前記画素電極に対応して設けられた薄膜トランジスタと、前記基板と前記薄膜トランジスタとの間に配置され、少なくとも前記データ線に交差する第２方向に延在する遮光膜と、が備えられた電気光学装置であって、
前記基板の前記一方の面側には、更に、
前記データ線と前記基板との間に配置され、前記薄膜トランジスタ及び前記画素電極に電気的に接続された蓄積容量と、
前記データ線と前記画素電極との間に配置され、固定電位とされたシールド層と、
前記データ線と同一層として形成され、前記シールド層と前記蓄積容量構成する一対の電極の一方とを電気的に接続する第１中継層と、
前記データ線と同一層として形成され、前記蓄積容量構成する一対の電極の他方と電気的に接続する第２中継層と、
前記シールド層と同一層として形成され、前記画素電極と前記第２中継層とを電気的に接続する第３中継層と、
が備えられてなり、
前記画素電極と前記第３中継層とを電気的に接続する第１コンタクトホールと、前記第３中継層と前記第２中継層とを電気的に接続する第２コンタクトホールと、前記第２中継層と前記蓄積容量構成する一対の電極の他方とを電気的に接続する第３コンタクトホールと、前記シールド層と前記第１中継層とを電気的に接続する第４コンタクトホールと、前記１中継層と前記蓄積容量構成する一対の電極の一方とを電気的に接続する第５コンタクトホールと、は前記遮光膜と平面視において重なる領域に形成されていることを特徴とする電気光学装置。
【請求項２】
前記蓄積容量は、前記第１方向に沿って延在する第１部分と、前記第２方向に沿って延在する第２部分とを有することを特徴とする請求項１に記載の電気光学装置。
【請求項３】
前記シールド層は、アルミニウムからなる膜を含むことを特徴とする請求項１又は２に記載の電気光学装置。
【請求項４】
前記シールド層は、アルミニウムからなる膜及び高融点金属を含む膜の積層体を構成することを特徴とする請求項１乃至３のいずれか一項に記載の電気光学装置。
【請求項５】
前記データ線は、アルミニウムからなる膜を含むことを特徴とする請求項１乃至４のいずれか一項に記載の電気光学装置。
【請求項６】
前記データ線は、高融点金属を含む膜を更に含み、前記アルミニウムからなる膜とともに積層体を構成することを特徴とする請求項５に記載の電気光学装置。
【請求項７】
前記シールド層は、前記データ線に沿って形成された領域において、該データ線よりも幅広に形成されていることを特徴とする請求項１乃至６のいずれか一項に記載の電気光学装置。
【請求項８】
請求項１乃至７のいずれか一項に記載の電気光学装置を具備してなることを特徴とする電子機器。
【手続補正２】
【補正対象書類名】明細書
【補正対象項目名】０００８
【補正方法】変更
【補正の内容】
【０００８】
本発明の一実施形態に係る電気光学装置は、基板の一方の面側に、第１方向に延在するデータ線と、前記データ線と電気的に接続された画素電極と、前記画素電極に対応して設けられた薄膜トランジスタと、前記基板と前記薄膜トランジスタとの間に配置され、少なくとも前記データ線に交差する第２方向に延在する遮光膜と、が備えられた電気光学装置であって、前記基板の前記一方の面側には、更に、前記データ線と前記基板との間に配置され、前記薄膜トランジスタ及び前記画素電極に電気的に接続された蓄積容量と、前記データ線と前記画素電極との間に配置され、固定電位とされたシールド層と、前記データ線と同一層として形成され、前記シールド層と前記蓄積容量構成する一対の電極の一方とを電気的に接続する第１中継層と、前記データ線と同一層として形成され、前記蓄積容量構成する一対の電極の他方と電気的に接続する第２中継層と、前記シールド層と同一層として形成され、前記画素電極と前記第２中継層とを電気的に接続する第３中継層と、が備えられてなり、前記画素電極と前記第３中継層とを電気的に接続する第１コンタクトホールと、前記第３中継層と前記第２中継層とを電気的に接続する第２コンタクトホールと、前記第２中継層と前記蓄積容量構成する一対の電極の他方とを電気的に接続する第３コンタクトホールと、前記シールド層と前記第１中継層とを電気的に接続する第４コンタクトホールと、前記１中継層と前記蓄積容量構成する一対の電極の一方とを電気的に接続する第５コンタクトホールと、は前記遮光膜と平面視において重なる領域に形成されていることを特徴とする。
また、本発明の一実施形態に係る電気光学装置は、前記蓄積容量は、前記第１方向に沿って延在する第１部分と、前記第２方向に沿って延在する第２部分とを有することを特徴とする。
また、本発明の一実施形態に係る電気光学装置は、前記シールド層は、アルミニウムからなる膜を含むことを特徴とする。
また、本発明の一実施形態に係る電気光学装置は、前記シールド層は、アルミニウムからなる膜及び高融点金属を含む膜の積層体を構成することを特徴とする。
また、本発明の一実施形態に係る電気光学装置は、前記データ線は、アルミニウムからなる膜を含むことを特徴とする。
また、本発明の一実施形態に係る電気光学装置は、前記データ線は、高融点金属を含む膜を更に含み、前記アルミニウムからなる膜とともに積層体を構成することを特徴とする。
また、本発明の一実施形態に係る電気光学装置は、前記シールド層は、前記データ線に沿って形成された領域において、該データ線よりも幅広に形成されていることを特徴とする。
また、本発明の一実施形態に係る電子機器は、上記に記載の電気光学装置を具備してなることを特徴とする。
また、本発明の参考例に係る電気光学装置は、基板上に、第１方向に延在するデータ線及び該データ線に交差する第２方向に延在する走査線、並びに、前記データ線及び前記走査線の交差領域に対応するように配置された画素電極及び薄膜トランジスタが積層構造の一部をなして備えられた電気光学装置であって、前記基板上には更に、前記薄膜トランジスタ及び前記画素電極に電気的に接続された蓄積容量と、前記データ線及び前記画素電極間に配置され固定電位とされたシールド層とが、前記積層構造の一部をなして備えられてなり、前記シールド層又はこれに接続若しくは延設された導電層の少なくとも一部は、前記蓄積容量を構成する一対の電極の一方を含む。